(57)【要約】【課題】ルアーフィッシングに使用するルアーで、根掛かり回避性能を大幅に向上し、さらにアッパーアームの先端に設けられたブレードのみへのバイトを大幅に削減し、貴重なバイトチャンスをフックアップに繋げるスピナーベイトを提供する。【解決手段】バネ性能を有した金属製ワイヤーシャフトをワイヤーシャフト１のように鋭角に屈曲形成し、ワイヤーシャフト１の一端にブレード７が設けられ、他端には錘４と共に固定されたフック６の針先Ａとアッパーアーム９のＢ地点の間を０ｍｍ〜２０ｍｍになるようにアッパーアームを配置されていることを特徴とする。【選択図】図１
2019187398.tif 000002
【特許請求の範囲】
【請求項１】
屈曲形成されたワイヤーシャフトのアッパーアーム先端に回転体のブレードが連結され、ワイヤーシャフトのロアーアーム先端には錘付きのフックもしくは錘付きフックにスカートが装着されたものが固定されたスピナーベイトであって、錘付きフックの針先からアッパーアームの間隔が０ｍｍ〜２０ｍｍの範囲内にアッパーアームが設けられていることを特徴とするスピナーベイト。
【発明の詳細な説明】
【技術分野】
【０００１】  本発明は、ルアーであって、屈曲形成されたワイヤーシャフトの一端に設けられたブレードと呼ばれる回転体がリトリーブ時に水の抵抗を受けて回転することによって光の反射や振動等によって魚を誘惑し、ワイヤーシャフトの他端に設けられた錘付きのフックにバイトさせるスピナーベイトに関する。
【背景技術】
【０００２】  従来のスピナーベイトは、Ｌ字型に屈曲形成されたワイヤーシャフトの一端に設けられたブレードと呼ばれる回転体がリトリーブ時に水の抵抗を受けて回転することによって光の反射で魚を誘惑する。また回転体のブレードが回転することで振動を発生させ、その振動がバネ性能を有した金属製のワイヤーシャフトを伝い錘付きフックに伝達され、錘付きフックが振動体となり、あたかも小魚が泳いでいるように見せ、ワイヤーシャフトの他端に設けられた錘付きのフックにバイトさせるルアーである。
【先行技術文献】
【特許文献】
【０００３】
【特許文献１】特開２００１−２４５５５７号公報
【特許文献２】特開２００２−１４２６１５号公報
【発明の概要】
【発明が解決しようとする課題】
【０００４】  従来のスピナーベイトは、バネ性能を有した金属製のワイヤーシャフトをＬ字型に屈曲形成されており、図２で示すとおりフック１３の針先Ｃとアッパーアーム１４のＤ部分との間隔が広く、ブーメランのような形状をしているため、水没している葦や草木の中に投げ込むと、アッパーアームと錘付きフックの間に草木等が入り込み針掛かりし根掛かりするため、ルアーフィッシングにおいてスピナーベイトを使用する際は、たとえ水没している葦や草木の中に魚がいようとも投げ込むのは敬遠される傾向にある。【０００５】  上記以外にも、Ｌ字型に屈曲形成されたワイヤーシャフトの一端に設けられた回転体のブレードが、リトリーブ時に水の抵抗を受けて回転することによって光の反射で魚を誘惑し、回転体のブレードが回転することで振動を発生させ、その振動がバネ性能を有した金属製のワイヤーシャフトを伝い錘付きフックに伝達され、錘付きフックが振動体となり、あたかも小魚が泳いでいるように見せ、ワイヤーシャフトの他端に設けられた錘付きのフックにバイトさせるルアーであるが、従来のスピナーベイトは図２で示すように、ワイヤーシャフト１０の形状から、回転体のブレード１５とフック１３が離れているため、実際には回転体のブレードか錘付きフックのどちらを食べるか解らない魚が、こちらの希望通り振動体の錘付きフックにバイトせず、光を反射する回転体のブレードにバイトする場合もあり、回転体のブレードにはフックは設けられておらずフックアップには至らない問題がある。
【課題を解決するための手段】
【０００６】  上記課題を解決すべくなされた本発明のスピナーベイトは、従来、Ｌ字型に屈曲形成されたワイヤーシャフトを図１のワイヤーシャフト１のように鋭角に屈曲形成し、フック６の針先Ａとアッパーアーム９のＢ地点の間を０ｍｍ〜２０ｍｍになるようアッパーアーム９を配置し、フック６とアッパーアーム９の間に草木等が入り込む確率を下げ、根掛かりの発生を大幅に削減する。【０００７】  また、従来、Ｌ字型に屈曲形成されたワイヤーシャフトを図１のワイヤーシャフト１のように鋭角に屈曲形成し、フック６の針先Ａとアッパーアーム９のＢ地点の間を０ｍｍ〜２０ｍｍになるようアッパーアーム９を配置することで、スピナーベイト本体が小型化し、バイトの際には回転体のブレード、アッパーアーム、錘付きフックまで魚の口の中に入るため、アッパーアームの先端に設けられた回転体のブレードのみへのバイトが大幅に削減できる。【０００８】  また、ワイヤーシャフトはバネ性能を有することが好ましい。ワイヤーシャフトがバネ性能を有することで、フッキングの際に図３で示すように、アッパーアーム９’が魚の口の中で押さえつけられフック６’の方向に曲がり、針先Ａ’が突出しフックアップできる。再度使用時には、ワイヤーシャフトがバネ性能を有することで、アッパーアームが所定の位置に復元する。
【発明の効果】
【０００９】以上のように、本発明のスピナーベイトにおいては、従来のスピナーベイトとは異なり根掛かりの発生を大幅に削減できるため、これまで敬遠されてきた場所にも迷い無く投げ込める。さらに、小型化されるため、バイト時にはスピナーベイト本体ごと魚の口の中に入り易くアッパーアームの先端に設けられた回転体のブレードのみへのバイトが大幅に削減されるため、貴重なバイトチャンスをフックアップに繋げるスピナーベイトを提供することができる。
【図面の簡単な説明】
【００１０】
【図１】本発明のスピナーベイトを模式的に示した図である。
【図２】従来型のスピナーベイトの形状を簡単に示す図である。
【図３】本発明のスピナーベイトがフッキングの際にアッパーアームが曲がる様子を示した図である。
【発明を実施するための形態】
【００１１】  以下、本発明に係わるスピナーベイトの実施形態について図面を参酌しつつ説明する。
図１に示すスピナーベイトは、ワイヤーシャフト１、ライン結合部２、アッパーアーム９、スイベル８、ブレード７，ロアーアーム３、錘４、スカート５，フック６を備えた構造となっている。ワイヤーシャフト１は、バネ性能を有するステンレス線材等の金属でトーションバネのように屈曲形成されており、ライン結合部２が屈曲部となり折り曲げられ、後方に向けて伸びたアッパーアーム９と斜め下方に伸びたロアーアーム３を有する二股状に形成されている。ワイヤーシャフト１をトーションバネのように形成することでワイヤーシャフト１のバネ性が増し、フッキングの際には図３で示すように、アッパーアーム９’が曲がり、針先Ａ’が突出し魚の口にフックアップする。また、その後再使用する際には、バネ性により所定の位置に復元する。なお、本実施形態での屈曲部は図１のライン結合部２のような屈曲構造であるが、特に限定されずとも屈曲部が図２のライン結合部１１のようにＲ字状等に形成してもよい。
【００１２】図１のアッパーアーム９の先端部は前方に折り返されてスイベル８と連結し、回転自在の部材であるスイベル８をブレード７に取り付けることでブレード７が回転自在に連結されている。なお、図１のブレード７は楕円形をしているが、釣り場の状況等に応じてその他の形状、例えば木の葉状等を連結してもよい。
【００１３】ロアーアーム３の先端部には、錘４、フック６が一体的に固定されている。錘は金属製や樹脂製で、例えば鉛やタングステンあるいはこれらの比重の大きい合金等や樹脂タングステン等を使用し、ロアーアーム３とフック６を連結し、錘の素材を鋳造し、ロアーアーム３と錘４、フック６を一体的に固定している。そして、錘とフックの間にシリコンやラバー製のスカート５を装着している。
【産業上の利用可能性】
【００１４】  本発明のスピナーベイトは、ルアーフィッシングにおいて、いわゆる投げ釣りのルアーとして広く使用することができる。
【符号の説明】
【００１５】１、ワイヤーシャフト
２、ライン結合部
３、ロアーアーム
４、錘
５、スカート
６、フック
７、ブレード
８、スイベル
９、アッパーアーム
Ａ、針先
Ｂ、アッパーアームの針先Ａに最も近い地点
１０、ワイヤーシャフト
１１、ライン結合部
１２、ロアーアーム
１３、フック
１４、アッパーアーム
１５、ブレード
Ｃ、針先
Ｄ、アッパーアームの針先Ａに最も近い地点
６’、フック
９’、アッパーアーム
Ａ’、針先
【図１】
2019187398.tif 000003
【図２】
2019187398.tif 000004
【図３】
2019187398.tif 000005